(57)【要約】【課題】  容量の小さい安価なページメモリを用いて、原稿の画像データから生成される２つの分割画像データをページメモリに確実に格納することができる複写機を提供することを目的とする。【解決手段】  印刷可能な最大サイズの用紙に画像を印刷する場合であって、読取倍率指定部７１により指定された読取倍率と原稿検出センサ５により検出した原稿のサイズに基づいて算出されるデータ量がページメモリ６の容量を超える場合に、原稿の一部の画像のみを指定された読取倍率で読み取ることにより、ページメモリ６の容量以下の画像データを生成する。これにより、容量が上記最大サイズの２ページ未満しかない安価なページメモリ６を採用した場合であっても、生成される２つの分割画像データをページメモリ６に確実に格納することができる。【選択図】  図２
2008113311.tif 000002
【特許請求の範囲】
【請求項１】
読み取った原稿の画像データに基づいて、所定の最大サイズ以下の用紙に画像を印刷する複写機であって、
ユーザ操作に基づいて原稿の読取倍率を指定する読取倍率指定手段と、
指定された読取倍率で原稿を読み取る原稿読取手段と、
上記原稿読取手段により読み取られる原稿の画像データから２つの分割画像データを生成する分割画像データ生成手段と、
上記最大サイズの１ページ以上かつ２ページ未満の容量を有し、生成された２つの分割画像データを記憶するページメモリと、
上記２つの分割画像データに基づく画像を別々の用紙に印刷する印刷手段と、
指定された原稿の読取倍率と原稿のサイズに基づいて、原稿全体を読み取ったときに生成される２つの分割画像データのデータ量を算出するデータ量算出手段とを備え、
上記原稿読取手段は、上記最大サイズの用紙に画像を印刷する場合であって、上記データ量算出手段により算出されるデータ量が上記ページメモリの容量を超える場合に、原稿の一部の画像のみを指定された読取倍率で読み取ることにより、上記ページメモリの容量以下の画像データを生成することを特徴とする複写機。
【請求項２】
上記原稿読取手段は、ライン状に配置された複数の受光素子からなるラインセンサと、上記複数の受光素子からの信号を順次に出力させることにより所定の主走査幅からなるラインデータを生成する主走査制御手段と、上記ラインセンサを上記複数の受光素子が並ぶ方向に対して直交方向に移動させることにより複数ライン分のラインデータを生成する副走査制御手段とを備え、上記最大サイズの用紙に画像を印刷する場合であって、上記データ量算出手段により算出されるデータ量が上記ページメモリの容量を超える場合に、ラインデータのライン数を減少させることにより、上記ページメモリの容量以下の画像データを生成することを特徴とする請求項１に記載の複写機。
【請求項３】
上記原稿読取手段は、ライン状に配置された複数の受光素子からなるラインセンサと、上記複数の受光素子からの信号を順次に出力させることにより所定の主走査幅からなるラインデータを生成する主走査制御手段と、上記ラインセンサを上記複数の受光素子が並ぶ方向に対して直交方向に移動させることにより複数ライン分のラインデータを生成する副走査制御手段とを備え、上記最大サイズの用紙に画像を印刷する場合であって、上記データ量算出手段により算出されるデータ量が上記ページメモリの容量を超える場合に、ラインデータの主走査幅を減少させることにより、上記ページメモリの容量以下の画像データを生成することを特徴とする請求項１に記載の複写機。
【発明の詳細な説明】
【技術分野】
【０００１】
本発明は、複写機に係り、さらに詳しくは、読み取った原稿の画像データを２つの画像データに分割するページ分割機能を備えた複写機に関する。
【背景技術】
【０００２】
書籍などの冊子状に綴じられた複数枚の原稿の画像を読み取る場合に、見開きページの画像データを２ページ分の画像データに分割し、分割された各画像データに基づく画像を別々の用紙に印刷する機能、いわゆるページ分割機能が知られている。このページ分割機能を用いて原稿の画像を読み取る場合には、通常、見開きページ全体の画像が読み取られ、その画像データがページメモリに格納される。そして、２ページ分の画像データがページメモリからページごとに読み出され、それらの画像データに基づく画像が別々の用紙に印刷される。
【０００３】
ページメモリは、その容量が大きくなるほど高価になるため、製造コストを低減するためには、できるだけ容量の小さいページメモリを使用することが好ましい。容量の小さいメモリに、より多くの画像データを記憶させるための技術としては、画像データを圧縮する方法などが一般的に知られている（例えば、特許文献１）。
【特許文献１】特開平１０−１４７０１６号公報
【発明の開示】
【発明が解決しようとする課題】
【０００４】
ページ分割機能を備えた複写機の中には、印刷可能な最大サイズの用紙の２ページ分に満たない容量のページメモリを使用することにより、製造コストの低減を図っているものがある。例えば、印刷可能な用紙の最大サイズが日本工業規格に基づくＡ３サイズである場合、ページ分割機能により分割された２ページ分の画像データがそれぞれＡ３サイズ以上であれば、２ページ分の画像データをページメモリに格納することができない。
【０００５】
このような問題は、通常、原稿の画像を拡大することなく等倍で印刷する場合には発生しない。しかし、原稿の画像を拡大してページ分割機能により印刷する場合には、２ページ分の画像データのデータ量がページメモリの容量を超えてしまい、ページメモリに格納することができなくなる場合がある。上記の例では、Ａ５サイズ以上の原稿からなる冊子の見開きページをページ分割機能により印刷する場合に、原稿の縦幅及び横幅をそれぞれ２倍に拡大したときには、分割された各画像データがＡ３サイズ以上となり、２ページ分の画像データをページメモリに格納することができなくなる。
【０００６】
本発明は、上記の事情に鑑みてなされたものであり、容量の小さい安価なページメモリを用いて、原稿の画像データから生成される２つの分割画像データをページメモリに確実に格納することができる複写機を提供することを目的とする。
【課題を解決するための手段】
【０００７】
第１の本発明による複写機は、読み取った原稿の画像データに基づいて、所定の最大サイズ以下の用紙に画像を印刷する複写機であって、ユーザ操作に基づいて原稿の読取倍率を指定する読取倍率指定手段と、指定された読取倍率で原稿を読み取る原稿読取手段と、上記原稿読取手段により読み取られる原稿の画像データから２つの分割画像データを生成する分割画像データ生成手段と、上記最大サイズの１ページ以上かつ２ページ未満の容量を有し、生成された２つの分割画像データを記憶するページメモリと、上記２つの分割画像データに基づく画像を別々の用紙に印刷する印刷手段と、指定された原稿の読取倍率と原稿のサイズに基づいて、原稿全体を読み取ったときに生成される２つの分割画像データのデータ量を算出するデータ量算出手段とを備え、上記原稿読取手段が、上記最大サイズの用紙に画像を印刷する場合であって、上記データ量算出手段により算出されるデータ量が上記ページメモリの容量を超える場合に、原稿の一部の画像のみを指定された読取倍率で読み取ることにより、上記ページメモリの容量以下の画像データを生成するように構成される。
【０００８】
このような構成によれば、印刷可能な最大サイズの用紙に画像を印刷する場合であって、指定された原稿の読取倍率と原稿のサイズに基づいて算出されるデータ量がページメモリの容量を超える場合に、原稿の一部の画像のみを指定された読取倍率で読み取ることにより、ページメモリの容量以下の画像データを生成することができる。すなわち、容量が上記最大サイズの２ページ未満しかない安価なページメモリを採用した場合であっても、原稿全体を読み取ったときのデータ量がページメモリの容量を超える場合には、原稿の一部の画像のみを読み取ることにより、生成される２つの分割画像データをページメモリに確実に格納することができる。
【０００９】
第２の本発明による複写機は、上記構成に加えて、上記原稿読取手段が、ライン状に配置された複数の受光素子からなるラインセンサと、上記複数の受光素子からの信号を順次に出力させることにより所定の主走査幅からなるラインデータを生成する主走査制御手段と、上記ラインセンサを上記複数の受光素子が並ぶ方向に対して直交方向に移動させることにより複数ライン分のラインデータを生成する副走査制御手段とを備え、上記最大サイズの用紙に画像を印刷する場合であって、上記データ量算出手段により算出されるデータ量が上記ページメモリの容量を超える場合に、ラインデータのライン数を減少させることにより、上記ページメモリの容量以下の画像データを生成するように構成される。
【００１０】
このような構成によれば、原稿全体を読み取ったときのデータ量がページメモリの容量を超える場合であっても、原稿読取時のラインデータのライン数を減少させることにより、ページメモリの容量以下の画像データを生成することができる。これにより、容量の小さい安価なページメモリを採用した場合であっても、生成される２つの分割画像データをページメモリに確実に格納することができる。
【００１１】
第３の本発明による複写機は、上記構成に加えて、上記原稿読取手段が、ライン状に配置された複数の受光素子からなるラインセンサと、上記複数の受光素子からの信号を順次に出力させることにより所定の主走査幅からなるラインデータを生成する主走査制御手段と、上記ラインセンサを上記複数の受光素子が並ぶ方向に対して直交方向に移動させることにより複数ライン分のラインデータを生成する副走査制御手段とを備え、上記最大サイズの用紙に画像を印刷する場合であって、上記データ量算出手段により算出されるデータ量が上記ページメモリの容量を超える場合に、ラインデータの主走査幅を減少させることにより、上記ページメモリの容量以下の画像データを生成するように構成される。
【００１２】
このような構成によれば、原稿全体を読み取ったときのデータ量がページメモリの容量を超える場合であっても、原稿読取時のラインデータの主走査幅を減少させることにより、ページメモリの容量以下の画像データを生成することができる。これにより、容量の小さい安価なページメモリを採用した場合であっても、生成される２つの分割画像データをページメモリに確実に格納することができる。
【発明の効果】
【００１３】
本発明によれば、印刷可能な用紙の最大サイズの２ページ未満しか容量がない安価なページメモリを採用した場合であっても、原稿全体を読み取ったときのデータ量がページメモリの容量を超える場合には、原稿の一部の画像のみを読み取ることにより、生成される２つの分割画像データをページメモリに確実に格納することができる。
【発明を実施するための最良の形態】
【００１４】
実施の形態１．
図１は、本発明の実施の形態１による複写機１の一例を示したブロック図である。この複写機１では、スキャナ２で読み取った原稿の画像データに基づいて、プリンタ機構３が用紙に画像を印刷することにより、コピー機能を実現することができる。複写機１には、上記のスキャナ２及びプリンタ機構３に加えて、操作部４、原稿検出センサ５及びページメモリ６が備えられ、これらの動作が、プロセッサからなる制御部７により制御されるようになっている。ページメモリ６は、ＲＡＭ(Random Access Memory)により構成されている。
【００１５】
スキャナ２には、原稿に向けて光を照射する光源２１と、原稿からの反射光を受光するラインセンサ２２とが備えられている。ラインセンサ２２は、ライン状に配置された複数の受光素子からなり、各受光素子における受光量を表す信号がスキャナ２から制御部７へ出力される。原稿読取時には、ラインセンサ２２の各受光素子からの信号が所定の順序に従って出力されることにより主走査が実現されるとともに、複数の受光素子が並ぶ方向に対して直交方向にラインセンサ２２が移動されることにより副走査が実現される。
【００１６】
この複写機１には、原稿を載置するための透明板（不図示）が備えられており、この透明板上に載置された原稿に対して光源２１及びラインセンサ２２を移動させることにより、透明板を透過させて原稿２１に光を照射し、その反射光をラインセンサ２２で受光することができる。透明板上に載置されている原稿のサイズは、原稿検出センサ５により検出される。ただし、原稿を１枚ずつ分離して自動的に送り出す自動原稿供給部（ADF：Automatic Document Feeder）が備えられ、静止した光源２１及びラインセンサ２２に対して自動原稿供給部から原稿を送り出すことができるような構成であってもよい。
【００１７】
原稿読取時には、主走査によって受光素子の数に応じた主走査幅からなるラインデータが生成されるとともに、副走査によって当該ラインデータが複数ライン分生成される。このとき、スキャナ２及び制御部７は、原稿を読み取るための原稿読取手段として機能し、特に制御部７は、原稿に対して主走査を行う主走査制御手段及び副走査を行う副走査制御手段として機能する。原稿の読み取りにより生成された複数ライン分のラインデータからなる原稿の画像データは、ページメモリ６に格納され、この画像データに基づく画像がプリンタ機構３により用紙に印刷される。プリンタ機構３は、感光体ドラム、帯電器、現像装置、転写装置及び定着装置などからなる周知の印刷手段であるため、ここでは詳細な説明を省略することとする。
【００１８】
操作部４には、用紙サイズ入力キー４１、読取倍率入力キー４２、綴じ方向入力キー４３及びページ分割選択キー４４が備えられている。これらのキー４１〜４４は、ユーザが押操作可能なキーとして操作部４に予め備えられた構成であってもよいし、タッチパネル式の表示画面にこれらのキー４１〜４４が表示されることにより、ユーザが表示画面に触れることでキー操作を行うことができるような構成であってもよい。
【００１９】
用紙サイズ入力キー４１は、使用する用紙のサイズを入力するために操作される。この複写機１では、日本工業規格に基づくＡ３サイズ以下の用紙に画像を印刷することができるようになっており、Ａ３サイズの他、Ａ４サイズ、Ａ５サイズ、Ｂ４サイズ、Ｂ５サイズなどの用紙を収容し、選択されたサイズの用紙をプリンタ機構３に送り出して印刷を行うことができるようになっている。すなわち、この複写機１において、印刷可能な用紙の最大サイズはＡ３サイズに設定されている。
【００２０】
読取倍率入力キー４２は、原稿を読み取る際の倍率を入力するために操作される。この複写機１では、読み取った原稿の画像を等倍で用紙に印刷することができるだけでなく、読取倍率入力キー４２を操作して倍率を入力することにより、画像を拡大又は縮小して用紙に印刷することもできる。
【００２１】
綴じ方向入力キー４３は、書籍などの冊子状に綴じられた複数枚の原稿の画像を読み取る際に、それらの原稿が綴じられている向きを入力するために操作される。すなわち、冊子の表紙に対して左側が綴じられている場合には「左綴じ」を入力し、右側が綴じられている場合には「右綴じ」を入力することにより、その綴じ方向に応じた態様で原稿を読み取り印刷を行うことができる。
【００２２】
この複写機１には、冊子状の原稿を開いた状態で透明板上に載置し、その見開きページを読み取る場合に、当該見開きページの画像データを２ページ分の画像データに分割して、分割された各画像データ（以下、「分割画像データ」という。）に基づく画像を別々の用紙に印刷する機能、いわゆるページ分割機能が備えられている。ページ分割選択キー４４は、このページ分割機能を選択する際に操作される。
【００２３】
図２は、制御部７の一構成例を示した機能ブロック図である。制御部７は、ページ分割機能が選択された場合に、読取倍率入力キー４２の操作により入力された倍率と原稿検出センサ５により検出した原稿のサイズとに基づいて、使用する用紙のサイズ及び原稿読取時の制御態様を決定し、読み取った原稿の画像データから生成される２つの分割画像データを別々の用紙に印刷させる処理を行う。制御部７は、読取倍率指定部７１、データ量算出部７２、用紙サイズ決定部７３、データ量比較部７４、読取制御部７５、分割画像データ生成部７６、データ出力部７７及び印刷制御部７８によって構成され、これらの各機能ブロックは、制御部７が実行するコンピュータプログラムにより実現される。
【００２４】
ページ分割機能が選択され、読取倍率入力キー４２を用いて倍率が入力されると、読取倍率指定部７１により、その入力された倍率がスキャナ２で原稿を読み取る際の読取倍率として指定される。そして、指定された読取倍率と原稿検出センサ５により検出した原稿のサイズに基づいて、データ量算出部７２が、原稿全体を読み取ったときに生成される２つの分割画像データのデータ量を算出する。そして、用紙サイズ決定部７３が、算出されたデータ量に基づいて、各分割画像データに基づく画像を印刷可能な最小の用紙サイズを決定するとともに、データ量比較部７４が、算出されたデータ量をページメモリ６の容量と比較する。
【００２５】
本実施の形態では、ページメモリ６は、Ａ３サイズの原稿を等倍で読み取った場合に１．８ページ分まで記憶可能な容量を有している。すなわち、このページメモリ６は、印刷可能な用紙の最大サイズであるＡ３サイズの１ページ以上かつ２ページ未満の容量しかない安価なメモリにより構成されている。したがって、Ａ５サイズの複数枚の原稿が綴じられた冊子の見開きページを読み取る場合を例にとると、その見開きページのサイズはＡ４サイズとなり、等倍で読み取る場合にはデータ量がページメモリ６の容量内に収まるが、例えば縦幅及び横幅をそれぞれ２倍に拡大するよう読取倍率が指定された場合などには、データ量がページメモリ６の容量を超えてしまう。
【００２６】
このように、指定された原稿の読取倍率と原稿のサイズに基づいて算出されるデータ量がページメモリ６の容量を超えている場合には、用紙サイズ決定部７３が、使用する用紙のサイズを印刷可能な用紙の最大サイズであるＡ３サイズに決定する。また、この場合、読取制御部７５が、生成される画像データのデータ量がページメモリ６の容量以下となるように原稿の読み取りを行い、その原稿の画像データをページメモリ６に格納させる。このとき、分割画像データ生成部７６が、読み取られた原稿の画像データから、互いに同一のサイズからなる２つの分割画像データを生成し、それらの２つの分割画像データをページメモリ６に格納する。
【００２７】
この例では、指定された原稿の読取倍率と原稿のサイズとに基づいて算出されるデータ量がページメモリ６の容量を超えている場合に、生成される２つの分割画像データのデータ量がページメモリ６の容量以下となるように、原稿の副走査によって生成される複数のラインデータのライン数が決定されるようになっている。すなわち、原稿全体の画像データをページメモリ６に格納するのではなく、画像データを構成するラインデータのライン数を減少させることにより、指定された倍率で原稿を読み取ったときのデータ量がページメモリ６の容量以下になるように制御される。
【００２８】
上述の例のように、Ａ５サイズの複数枚の原稿が綴じられた冊子の見開きページを読み取る場合に、縦幅及び横幅をそれぞれ２倍に拡大するよう読取倍率が指定されたときには、原稿全体を読み取ったときのデータ量がページメモリ６の容量を超えてしまうので、原稿の一部の画像のみを読み取るようにラインデータのライン数を減少させる。このとき、Ａ４サイズの見開きページ全体のうち、それぞれＡ５サイズの０．９ページ分からなる２つの分割画像データが生成されるようにラインデータのライン数を減少させることにより、図２にハッチングで示した０．２ページ分のラインデータが出力されないように制御される。これにより、生成された各分割画像データの縦幅及び横幅をそれぞれ２倍に拡大したときのデータ量が、Ａ３サイズの０．９ページ分となり、２つの分割画像データを合わせたデータ量が、ページメモリ６の容量であるＡ３サイズの１．８ページ分と一致する。
【００２９】
ページメモリ６に格納された２つの分割画像データは、データ出力部７７により別々に出力され、印刷制御部７８は、プリンタ機構３を制御することにより、各分割画像データに基づく画像を用紙サイズ決定部７３により決定されたサイズの用紙に別々に印刷する。上記の例では、それぞれ拡大されることによりＡ３サイズの０．９ページ分となった２つの分割画像データがページメモリ６から順次に読み出され、それぞれの分割画像データに基づく画像が最大サイズであるＡ３サイズの用紙に印刷される。このとき、各用紙の中央部に画像が印刷されることにより、図２に示すように、各用紙の周縁部にはＡ３サイズの０．１ページ分の余白が形成される。
【００３０】
図３は、ページ分割機能による印刷が指示された場合の制御部７による処理の一例を示したフローチャートである。ユーザがページ分割機能を選択し、印刷を開始するための操作を行うと、原稿検出センサ５により透明板上に載置されている原稿のサイズが検出され（ステップＳ１０１）、検出された原稿のサイズと指定されている読取倍率とに基づいて、原稿全体を読み取ったときのデータ量が算出される（ステップＳ１０２）。そして、算出されたデータ量に基づいて使用する用紙のサイズが決定されるとともに（ステップＳ１０３）、算出されたデータ量とページメモリ６の容量が比較される（ステップＳ１０４）。
【００３１】
データ量の比較の結果、原稿全体を読み取ったときのデータ量がページメモリ６の容量以下と判断された場合には（ステップＳ１０５でＮｏ）、そのまま原稿全体を読み取った場合でも２つの分割画像データをページメモリ６に格納することができる。この場合には、制御態様を変更することなく原稿の読み取りが行われ、読み取られた原稿の画像データが２つの分割画像データに分割されてページメモリ６に格納される（ステップＳ１０７）。そして、２つの分割画像データがページメモリ６から順次に読み出されることにより、各分割画像データに基づく画像が別々の用紙に１ページずつ印刷される（ステップＳ１０８）。
【００３２】
一方、データ量の比較の結果、原稿全体を読み取ったときのデータ量がページメモリ６の容量よりも大きいと判断された場合には（ステップＳ１０５でＹｅｓ）、上述の通り、データ量がページメモリ６の容量を超えないように、原稿の副走査によって生成する複数のラインデータのライン数が決定される（ステップＳ１０６）。その後、原稿の読み取りが行われ、決定されたライン数のラインデータからなる原稿の画像データが生成されるとともに、その画像データが２つの分割画像データに分割されてページメモリ６に格納される（ステップＳ１０７）。そして、それらの２つの分割画像データがページメモリ６から順次に読み出されることにより、各分割画像データに基づく画像が別々の用紙に１ページずつ印刷される（ステップＳ１０８）。
【００３３】
本実施の形態では、印刷可能な最大サイズの用紙に画像を印刷する場合であって、指定された原稿の読取倍率と原稿のサイズに基づいて算出されるデータ量がページメモリ６の容量を超える場合に、原稿の一部の画像のみを指定された読取倍率で読み取ることにより、ページメモリ６の容量以下の画像データを生成することができる。すなわち、容量が上記最大サイズの２ページ未満しかない安価なページメモリ６を採用した場合であっても、原稿全体を読み取ったときのデータ量がページメモリ６の容量を超える場合には、原稿の一部の画像のみを読み取ることにより、生成される２つの分割画像データをページメモリ６に確実に格納することができる。
【００３４】
なお、ラインデータのライン数を減少させるための制御は、ラインセンサ２２の副走査方向への移動量を減少させることにより行われるような構成であってもよいし、副走査によって得られた複数ライン分のラインデータのうち一部のラインデータのみを出力することにより行われるような構成であってもよい。
【００３５】
実施の形態２．
実施の形態１では、検出された原稿のサイズと指定されている読取倍率とに基づいて、原稿全体を読み取ったときのデータ量がページメモリ６の容量よりも大きいと判断された場合に、原稿の副走査によって生成される複数のラインデータのライン数を減少させるような構成について説明した。これに対して、実施の形態２では、原稿全体を読み取ったときのデータ量がページメモリ６の容量よりも大きいと判断された場合に、ラインデータの主走査幅を減少させるようになっている点が異なっている。
【００３６】
図４は、本発明の実施の形態２による複写機１の制御部７による処理の一例を示したフローチャートである。本実施の形態において、原稿検出センサ５により原稿のサイズを検出し、検出された原稿のサイズと指定されている読取倍率とに基づいてデータ量の比較を行うまで処理（ステップＳ２０１〜Ｓ２０５）は、図３に示した実施の形態１におけるステップＳ１０１〜Ｓ１０５の処理と同様である。また、読み取った原稿の画像データから２つの分割画像データを生成し、各分割画像データに基づく画像を別々の用紙に印刷する処理（ステップＳ２０７，Ｓ２０８）も、実施の形態１におけるステップＳ１０７，Ｓ１０８の処理と同様である。
【００３７】
ただし、実施の形態１とは異なり、ステップＳ２０４におけるデータ量の比較の結果、原稿全体を読み取ったときのデータ量がページメモリ６の容量よりも大きいと判断された場合には（ステップＳ２０５でＹｅｓ）、ラインデータの主走査幅が減少されることにより、ページメモリ６の容量以下の画像データが生成されるようになっている（ステップＳ２０６）。このラインデータの主走査幅を減少させるための制御は、ラインセンサ２２から信号を出力させる受光素子の数を減少させることにより行われるような構成であってもよいし、主走査によって得られたラインデータのうち一部の画素のデータのみを出力することにより行われるような構成であってもよい。
【００３８】
また、読み取りを行う原稿のサイズが、原稿検出センサ５により検出される原稿のサイズに関わらず、読み取った原稿のデータ量がページメモリ６の容量を超えない最大の定型サイズに決定されるような構成であってもよい。この場合、読み取りを行う原稿のサイズを、日本工業規格に基づくより小さいサイズに強制的に変更することにより、原稿読取時のラインデータのライン数又はラインデータの主走査幅を減少させ、ページメモリ６の容量以下の画像データを生成することができる。
【００３９】
実施の形態３．
実施の形態３では、検出された原稿のサイズと指定されている読取倍率とに基づいて、原稿全体を読み取ったときのデータ量がページメモリ６の容量よりも大きいと判断された場合に、実施の形態１及び２とは異なり、原稿読取時の解像度が低下されるようになっている。
【００４０】
図５は、本発明の実施の形態３による複写機１の制御部７による処理の一例を示したフローチャートである。本実施の形態において、原稿検出センサ５により原稿のサイズを検出し、検出された原稿のサイズと指定されている読取倍率とに基づいてデータ量の比較を行うまで処理（ステップＳ３０１〜Ｓ３０５）は、図３に示した実施の形態１におけるステップＳ１０１〜Ｓ１０５の処理と同様である。また、読み取った原稿の画像データから２つの分割画像データを生成し、各分割画像データに基づく画像を別々の用紙に印刷する処理（ステップＳ３０７，Ｓ３０８）も、実施の形態１におけるステップＳ１０７，Ｓ１０８の処理と同様である。
【００４１】
ただし、実施の形態１及び２とは異なり、ステップＳ３０４におけるデータ量の比較の結果、原稿全体を読み取ったときのデータ量がページメモリ６の容量よりも大きいと判断された場合には（ステップＳ３０５でＹｅｓ）、原稿を読み取るときの解像度が低下されることにより、ページメモリ６の容量以下の画像データが生成されるようになっている（ステップＳ３０６）。
【００４２】
実施の形態４．
実施の形態４では、検出された原稿のサイズと指定されている読取倍率とに基づいて、原稿全体を読み取ったときのデータ量がページメモリ６の容量よりも大きいと判断された場合に、実施の形態１〜３とは異なり、原稿の綴じ方向の設定が変更されるようになっている。
【００４３】
図６は、本発明の実施の形態４による複写機１の制御部７による処理の一例を示したフローチャートである。本実施の形態において、原稿検出センサ５により原稿のサイズを検出し、検出された原稿のサイズと指定されている読取倍率とに基づいてデータ量の比較を行うまで処理（ステップＳ４０１〜Ｓ４０５）は、図３に示した実施の形態１におけるステップＳ１０１〜Ｓ１０５の処理と同様である。また、読み取った原稿の画像データから２つの分割画像データを生成し、各分割画像データに基づく画像を別々の用紙に印刷する処理（ステップＳ４０８，Ｓ４０９）も、実施の形態１におけるステップＳ１０７，Ｓ１０８の処理と同様である。
【００４４】
ただし、実施の形態１〜３とは異なり、ステップＳ４０４におけるデータ量の比較の結果、原稿全体を読み取ったときのデータ量がページメモリ６の容量よりも大きいと判断された場合には（ステップＳ４０５でＹｅｓ）、綴じ方向入力キー４３により予め入力されている原稿の綴じ方向が判別されるようになっている（ステップＳ４０６）。
【００４５】
そして、判別の結果、「左綴じ」と入力されている場合には（ステップＳ４０６でＹｅｓ）、右綴じの場合の制御態様で原稿の読み取りが行われるように設定が変更される（ステップＳ４０７）。一方、判別の結果、「右綴じ」と入力されている場合には（ステップＳ４０６でＮｏ）、その右綴じの場合の制御態様のまま原稿の読み取りが行われる（ステップＳ４０８）。
【００４６】
図７は、冊子状の原稿の見開きページを読み取る際の副走査方向とページメモリ６からのデータ読み出し方向の関係を示した概念図であり、（ａ）は原稿が左綴じの場合、（ｂ）は原稿が右綴じの場合を示している。図７（ａ）及び（ｂ）に示すように、原稿が左綴じの場合と右綴じの場合とでは、原稿に対する副走査の方向は一致しているが、読み取った原稿の画像データをページメモリ６から読み出す際の順序が異なっている。
【００４７】
図７（ａ）に示すように、原稿が左綴じの場合には、原稿を副走査方向に読み取ることにより順次に生成されるラインデータが、生成された順序とは逆の順序でページメモリ６から読み出されることにより、各分割画像データに基づく画像が、読み取った順序とは逆の順序で用紙に印刷されるようになっている。この順序で各分割画像データに基づく画像を用紙に印刷するためには、原稿全体の画像を読み取った後でなければ印刷を開始することができない。
【００４８】
これに対して、原稿が右綴じの場合には、原稿を副走査方向に読み取ることにより生成されるラインデータが、生成された順序と同じ順序でページメモリ６から読み出されることにより、各分割画像データに基づく画像が、読み取った順序と同じ順序で用紙に印刷されるようになっている。そのため、図７（ｂ）に示すように、一方の分割画像データに対応する画像を読み取った後、その分割画像データをページメモリ６から出力して印刷を行い、当該一方の分割画像データの出力後に他方の分割画像データに対応する画像を読み取って、その分割画像データに基づく画像を印刷することができる。
【００４９】
このように、２つの分割画像データの一方をページメモリ６に格納し、その分割画像データが出力された後、他方の分割画像データをページメモリ６に格納することにより、２つの分割画像データがページメモリ６に同時に記憶された状態とならないような構成とすることができる。そのため、２つの分割画像データを同時にページメモリ６に記憶させるような構成と比べて、容量の小さい安価なページメモリ６を用いて、生成される２つの分割画像データをページメモリ６に確実に格納することができる。
【図面の簡単な説明】
【００５０】
【図１】本発明の実施の形態１による複写機の一例を示したブロック図である。
【図２】制御部の一構成例を示した機能ブロック図である。
【図３】ページ分割機能による印刷が指示された場合の制御部による処理の一例を示したフローチャートである。
【図４】本発明の実施の形態２による複写機の制御部による処理の一例を示したフローチャートである。
【図５】本発明の実施の形態３による複写機の制御部による処理の一例を示したフローチャートである。
【図６】本発明の実施の形態４による複写機の制御部による処理の一例を示したフローチャートである。
【図７】冊子状の原稿の見開きページを読み取る際の副走査方向とページメモリからのデータ読み出し方向の関係を示した概念図であり、（ａ）は原稿が左綴じの場合、（ｂ）は原稿が右綴じの場合を示している。
【符号の説明】
【００５１】
１  複写機
２  スキャナ
３  プリンタ機構
４  操作部
５  原稿検出センサ
６  ページメモリ
７  制御部
２２  ラインセンサ
７１  読取倍率指定部
７２  データ量算出部
７３  用紙サイズ決定部
７４  データ量比較部
７５  読取制御部
７６  分割画像データ生成部
７７  データ出力部
７８  印刷制御部
【図１】
2008113311.tif 000003
【図２】
2008113311.tif 000004
【図３】
2008113311.tif 000005
【図４】
2008113311.tif 000006
【図５】
2008113311.tif 000007
【図６】
2008113311.tif 000008
【図７】
2008113311.tif 000009